(57)【要約】【課題】システム全体として適切なパワーコントロールを行うことができるカメラシステムを提供する。【解決手段】レンズ交換が可能なデジタルカメラシステム１０において、レンズ用バッテリ２６から電源供給を受けて作動するレンズユニット２０と、ボディ用バッテリ５８から電源供給を受けて作動するカメラボディ３０との間で互いに電源に関する情報の交換を行う。これにより、カメラボディ３０とレンズユニット２０の双方でバッテリ残量等に応じた適切なパワーコントロールを行うことができる。【選択図】      図３
2007116371.tif 000002
【特許請求の範囲】
【請求項１】
ボディ制御手段に駆動制御されるカメラボディと、レンズ制御手段に駆動制御されるレンズユニットとからなり、前記レンズユニットが前記カメラボディに対して着脱自在に設けられたカメラシステムにおいて、
前記レンズユニットに設けられたレンズ側通信手段と、
前記カメラボディに設けられ、前記カメラボディに装着された前記レンズユニットの前記レンズ側通信手段とデータの送受信を行うボディ側通信手段と、
前記レンズユニットに設けられ、前記レンズユニットの電源に関する情報を収集するレンズ側電源情報収集手段と、
前記カメラボディに設けられ、前記カメラボディの電源に関する情報を収集するボディ側電源情報収集手段と、
を備え、前記レンズ制御手段は、前記レンズ側電源情報収集手段で収集された情報を取得し、前記レンズ側通信手段と前記ボディ側通信手段とを介して前記ボディ制御手段に送信する一方、前記ボディ制御手段は、前記ボディ側電源情報収集手段で収集された情報を取得し、前記ボディ側通信手段と前記レンズ側通信手段とを介して前記レンズ制御手段に送信することを特徴とするカメラシステム。
【請求項２】
前記カメラボディは、ボディ用バッテリから電力供給を受けて動作する一方、前記レンズユニットは、レンズ用バッテリから電力供給を受けて動作することを特徴とする請求項１に記載のカメラシステム。
【請求項３】
前記カメラボディに表示部を備え、前記ボディ制御手段は、前記ボディ側電源情報収集手段で収集された情報と前記レンズ側電源情報収集手段で収集された情報とに基づいて前記表示部に前記ボディ用バッテリの残量と前記レンズ用バッテリの残量を表示することを特徴とする請求項２に記載のカメラシステム。
【請求項４】
前記ボディ側電源情報収集手段で収集された情報と前記レンズ側電源情報収集手段で収集された情報とに基づいてカメラシステム全体の電源に関する最低動作条件を設定する動作条件設定手段を備え、該動作条件設定手段は、前記カメラボディの電源に関する最低動作条件と前記レンズユニットの電源に関する最低動作条件とを比較し、厳しい方をカメラシステム全体の電源に関する最低動作条件に設定することを特徴とする請求項１、２又は３に記載のカメラシステム。
【請求項５】
前記レンズユニットが、イメージセンサを備えていることを特徴とする請求項１、２、３又は４に記載のカメラシステム。
【発明の詳細な説明】
【技術分野】
【０００１】
本発明はカメラシステムに係り、特にレンズユニットがカメラボディに着脱自在に設けられ、交換可能なカメラシステムに関する。
【背景技術】
【０００２】
一眼レフに代表されるレンズ交換式のデジタルカメラでは、通常、カメラボディ側にＣＣＤ等のイメージセンサが備えられている。
【０００３】
しかしながら、カメラボディ側にイメージセンサを備えた従来のレンズ交換式デジタルカメラでは、レンズ交換時にイメージセンサが外気に曝されるため、イメージセンサに埃等が付着しやすいという問題があった。
【０００４】
そこで、レンズ側にイメージセンサを設けて密閉し、レンズ交換を行っても、イメージセンサが外気に曝されないようにしたデジタルカメラが提案されている（たとえば、特許文献１参照）。
【特許文献１】特開平８−１７２５６１号公報
【発明の開示】
【発明が解決しようとする課題】
【０００５】
ところで、このようなレンズ交換式のカメラでは、通常、バッテリはカメラボディ側にのみ取り付けられ、レンズはカメラボディ側から電力供給を受けて作動する。
【０００６】
しかしながら、上記のようにレンズ側にイメージセンサが設けられたレンズ交換式のデジタルカメラの場合、レンズ側にもバッテリが取り付けられ、おのおの独立して電源供給が行われる場合がある。
【０００７】
このようにレンズとカメラボディとが、おのおの独立して電力供給を受ける場合、レンズとカメラボディに設けられた各バッテリの残量を管理し、システム全体で適切にパワーコントロールを行う必要がある。
【０００８】
本発明は、このような事情に鑑みてなされたもので、システム全体として適切なパワーコントロールを行うことができるカメラシステムを提供することを目的とする。
【課題を解決するための手段】
【０００９】
請求項１に係る発明は、前記目的を達成するために、ボディ制御手段に駆動制御されるカメラボディと、レンズ制御手段に駆動制御されるレンズユニットとからなり、前記レンズユニットが前記カメラボディに対して着脱自在に設けられたカメラシステムにおいて、前記レンズユニットに設けられたレンズ側通信手段と、前記カメラボディに設けられ、前記カメラボディに装着された前記レンズユニットの前記レンズ側通信手段とデータの送受信を行うボディ側通信手段と、前記レンズユニットに設けられ、前記レンズユニットの電源に関する情報を収集するレンズ側電源情報収集手段と、前記カメラボディに設けられ、前記カメラボディの電源に関する情報を収集するボディ側電源情報収集手段と、を備え、前記レンズ制御手段は、前記レンズ側電源情報収集手段で収集された情報を取得し、前記レンズ側通信手段と前記ボディ側通信手段とを介して前記ボディ制御手段に送信する一方、前記ボディ制御手段は、前記ボディ側電源情報収集手段で収集された情報を取得し、前記ボディ側通信手段と前記レンズ側通信手段とを介して前記レンズ制御手段に送信することを特徴とするカメラシステムを提供する。
【００１０】
請求項１に係る発明によれば、レンズユニットとカメラボディとの間で互いに電源に関する情報が交換される。これにより、カメラボディとレンズユニットの双方の制御手段でバッテリ残量等に応じた適切なパワーコントロールを行うことができるようになる。
【００１１】
請求項２に係る発明は、前記目的を達成するために、前記カメラボディは、ボディ用バッテリから電力供給を受けて動作する一方、前記レンズユニットは、レンズ用バッテリから電力供給を受けて動作することを特徴とする請求項１に記載のカメラシステムを提供する。
【００１２】
請求項２に係る発明によれば、レンズユニットとカメラボディとが、おのおの専用のバッテリを備え、おのおの個別に電力供給を受ける。このようにレンズユニットとカメラボディとが独立して電力供給を受ける場合において、請求項１に係る発明のように、互いの電源に関する情報を交換することにより、双方のバッテリ残量に応じた適切なパワーコントロールを行うことができるようになる。
【００１３】
請求項３に係る発明は、前記目的を達成するために、前記カメラボディに表示部を備え、前記ボディ制御手段は、前記ボディ側電源情報収集手段で収集された情報と前記レンズ側電源情報収集手段で収集された情報とに基づいて前記表示部に前記ボディ用バッテリの残量と前記レンズ用バッテリの残量を表示することを特徴とする請求項２に記載のカメラシステムを提供する。
【００１４】
請求項３に係る発明によれば、カメラボディに備えられた表示部にボディ用バッテリの残量とレンズ用バッテリの残量とが表示される。これにより、ユーザは、ボディ用バッテリとレンズ用バッテリの残量を適切に管理することができるようになる。
【００１５】
請求項４に係る発明は、前記目的を達成するために、前記ボディ側電源情報収集手段で収集された情報と前記レンズ側電源情報収集手段で収集された情報とに基づいてカメラシステム全体の電源に関する最低動作条件を設定する動作条件設定手段を備え、該動作条件設定手段は、前記カメラボディの電源に関する最低動作条件と前記レンズユニットの電源に関する最低動作条件とを比較し、厳しい方をカメラシステム全体の電源に関する最低動作条件に設定することを特徴とする請求項１、２又は３に記載のカメラシステムを提供する。
【００１６】
請求項４に係る発明によれば、カメラボディの電源に関する最低動作条件とレンズユニットの電源に関する最低動作条件とを比較し、厳しい方をカメラシステム全体の電源に関する最低動作条件に設定する。これにより、システム全体として適切なパワーコントロールを行うことができる。
【００１７】
請求項５に係る発明は、前記目的を達成するために、前記レンズユニットが、イメージセンサを備えていることを特徴とする請求項１、２、３又は４に記載のカメラシステムを提供する。
【００１８】
請求項５に係る発明によれば、レンズユニットにイメージセンサが設けられる。
【発明の効果】
【００１９】
本発明に係るカメラシステムによれば、システム全体として適切なパワーコントロールを行うことができる。
【発明を実施するための最良の形態】
【００２０】
以下、添付図面に従って本発明に係るカメラシステムを実施するための最良の形態について説明する。
【００２１】
図１、図２は、それぞれ本発明が適用されたデジタルカメラシステムの外観構成を示す正面斜視図と背面斜視図である。同図に示すように、このデジタルカメラシステム１０は、レンズユニット２０とカメラボディ３０とで構成されている。
【００２２】
レンズユニット２０は、円筒状に形成されており、その基端部にレンズマウント２２を備えている。一方、カメラボディ３０は、箱状に形成されており、その正面ほぼ中央にボディマウント３２を備えている。レンズユニット２０は、レンズマウント２２をカメラボディ３０のボディマウント３２に装着することにより、カメラボディ３０に着脱自在に取り付けられる。
【００２３】
なお、レンズマウント２２とボディマウント３２には、それぞれレンズ接点２４とボディ接点３４とが設けられており、レンズマウント２２をボディマウント３２に装着すると、互いの接点が接続される。
【００２４】
レンズユニット２０は、ズームレンズで構成されており、後述するように、撮像素子を内蔵している。また、このレンズユニット２０は、カメラボディ１２とは独立したバッテリ（レンズ用バッテリ）２６を備えており、このレンズ用バッテリ２６から電力供給を受けて作動する。このレンズ用バッテリ２６は、半円状に形成されており、円筒状に形成された鏡筒部２０Ａの外周に着脱自在に取り付けられて鏡筒部２０Ａの外装の一部を構成する。
【００２５】
カメラボディ３０は、図１に示すように、その正面にボディマウント３２、ストロボ３６等が設けられており、上面にレリーズボタン３８、電源／モードスイッチ４０等が設けられている。また、背面には、図２に示すように、モニタ４４、ズームボタン４６、十字ボタン４８、ＭＥＮＵ／ＯＫボタン５０、キャンセルボタン５２、表示ボタン５４等が設けられており、底面には、バッテリカバー５６が開閉自在に設けられている。バッテリカバー５６の内側には、図示しないバッテリ収納室とメモリカードスロットとが設けられており、それぞれボディ用バッテリ５８とメモリカード６０とが着脱自在に装着できるようにされている。
【００２６】
レリーズボタン３８は、いわゆる「半押し」と「全押し」とからなる二段ストローク式のスイッチで構成されている。デジタルカメラシステム１０は、このレリーズボタン３８の半押しでＡＥ（Automatic Exposure：自動露出）、ＡＦ（Auto Focus：自動合焦）、ＡＷＢ（Automatic White Balance：自動ホワイトバランス）を行い、全押しで画像の記録を行う。
【００２７】
電源／モードスイッチ４０は、デジタルカメラシステム１０の電源をＯＮ／ＯＦＦする電源スイッチとしての機能と、デジタルカメラシステム１０のモードを設定するモードスイッチとしての機能を有しており、「ＯＦＦ位置」、「再生位置」、「撮影位置」の間を回動自在に設けられている。デジタルカメラシステム１０は、この電源／モードスイッチ４０を「再生位置」又は「撮影位置」に合わせることにより、電源がＯＮになり、「ＯＦＦ位置」に合わせることにより、電源がＯＦＦになる。そして、電源／モードスイッチ４０を「再生位置」に合わせることにより、「再生モード」に設定され、「撮影位置」に合わせることにより、「撮影モード」に設定される。
【００２８】
モニタ４４は、カラーＬＣＤで構成されている。このモニタ４４は、撮影済み画像の表示部として機能するとともに、各種設定時に所定の設定画面が表示されてＧＵＩとして機能する。また、撮影時には、撮像素子で捉えた画像がスルー表示されて、電子ファインダとして機能する。
【００２９】
ズームボタン４６は、カメラボディ３０に装着されたレンズユニット２０のズーム操作、及び、再生中の画像の拡大／縮小操作に用いられ、望遠／拡大側へのズームを指示するズームテレボタンと、広角／縮小側へのズームを指示するズームワイドボタンとで構成されている。
【００３０】
十字ボタン４８は、上下左右４方向に押圧操作可能に設けられており、各方向のボタンには、カメラの設定状況に応じた機能が割り当てられる。すなわち、たとえば、撮影時には、左ボタンにマクロモードのＯＮ／ＯＦＦを切り替える機能が割り当てられ、右ボタンにストロボモードを切り替える機能が割り当てられる。また、上ボタンにモニタ４４の明るさを替える機能が割り当てられ、下ボタンにセルフタイマのＯＮ／ＯＦＦを切り替える機能が割り当てられる。また、再生時には、左ボタンにコマ送りの機能が割り当てられ、右ボタンにコマ戻しの機能が割り当てられる。また、上ボタンにモニタ４４の明るさを替える機能が割り当てられ、下ボタンに再生中の画像を削除する機能が割り当てられる。また、各種設定時には、各ボタンの方向にカーソルを移動させる機能が割り当てられる。
【００３１】
ＭＥＮＵ／ＯＫボタン５０は、メニュー画面の呼び出しに用いられるとともに、選択内容の確定、処理の実行指示等に用いられる。
【００３２】
キャンセルボタン５２は、入力操作のキャンセル等の指示に用いられ、表字ボタン５４は、モニタ４４の表示切り替えの指示に用いられる。
【００３３】
図３は、デジタルカメラシステム全体の電気的構成を示すブロック図である。同図に示すように、レンズユニット２０は、撮影光学系１００、撮影光学系駆動部１０２、撮影光学系制御部１０４、撮像素子１０８、アナログ信号処理部１１０、Ａ／Ｄ変換器１１２、積算部１１４、タイミングジェネレータ（ＴＧ）１１６、レンズＣＰＵ１１８、レンズ用システムメモリ１２０、レンズ用不揮発性メモリ１２２、レンズ通信部１２４、レンズ電源制御部１２６、レンズ用バッテリ２６、レンズ接点２４等で構成されている。
【００３４】
一方、カメラボディ３０は、ボディＣＰＵ２００、操作部（レリーズボタン３８、電源／モードスイッチ４０、ズームボタン４６、十字ボタン４８、ＭＥＮＵ／ＯＫボタン５０、キャンセルボタン５２、表示ボタン５４等）２０２、ボディ用システムメモリ２０４、ボディ用不揮発性メモリ２０６、タイマ２０８、カレンダ／時計部２１０、ボディ通信部２１２、デジタル信号処理部２１４、カードインターフェイス（Ｉ／Ｆ）２１６、メモリカードスロット２１８、メモリカード６０、フレームメモリ２２２、ＯＳＤ部２２４、モニタ制御部２２６、モニタ４４、ＵＳＢドライバ２２８、ＵＳＢコネクタ２３０、ストロボ制御部２３４、ストロボ３６、ボディ電源制御部２３６、ボディ用バッテリ５８、ボディ接点３４等で構成されている。
【００３５】
デジタルカメラシステム全体の動作は、ボディＣＰＵ２００によって統括制御されており、ボディＣＰＵ２００は、操作部２０２からの入力に基づき所定の制御プログラムに従ってデジタルカメラシステム１０の各部を制御する。
【００３６】
ボディ用システムメモリ２０４は、ＲＯＭとＲＡＭとからなり、ＲＯＭには、ボディＣＰＵ２００が、実行する制御プログラム、制御に必要な各種データが記録されている。ボディＣＰＵ２００は、このボディシステムメモリ２０４のＲＯＭに格納された制御プログラムに従い、ボディシステムメモリ２０４のＲＡＭを作業領域としながらデジタルカメラシステム全体の動作を統括制御する。
【００３７】
なお、レンズＣＰＵ１１８は、ボディＣＰＵ２００からの指令に従いレンズユニット２０の動作を制御する。レンズ用システムメモリ１２０のＲＯＭには、このレンズＣＰＵ１１８が、実行する制御プログラム、制御に必要な各種データが記録されている。レンズＣＰＵ１１８は、このレンズ用システムメモリ１２０のＲＯＭに格納された制御プログラムに従い、レンズ用システムメモリ１２０のＲＡＭを作業領域としながらレンズユニット２０の各部を制御する。
【００３８】
撮影光学系１００は、手ブレ補正機能を備えたズームレンズで構成されており、フォーカスレンズ、ズームレンズ、メカシャッタ、絞り等を備えている。撮影光学系駆動部１０２は、この撮影光学系１００のフォーカスレンズ、ズームレンズ、メカシャッタ、絞り等の駆動部を構成し、撮影光学系制御部１０４は、レンズＣＰＵ１１８を介して入力される指令に応じて撮影光学系駆動部１０２の駆動を制御する。
【００３９】
撮像素子１０８は、たとえば原色カラーＣＣＤで構成されており、撮影光学系１００によって、その受光面に結像された被写体の光学像を電気信号に変換する。
【００４０】
アナログ信号処理部１１０は、サンプリングホールド回路、色分離回路、ゲイン調整回路等を含み、撮像素子１０８から出力された画像信号に対して相関二重サンプリング（ＣＤＳ）処理、色分離処理、プリホワイトバランス処理等の所要のアナログ信号処理を施す。
【００４１】
Ａ／Ｄ変換器１１２は、アナログ信号処理部１１０から出力されたアナログの画像信号をデジタルの画像信号に変換して出力する。
【００４２】
積算部１１４は、Ａ／Ｄ変換後の画像信号を得て、ＡＥ／ＡＦ制御に必要な物理量を算出する。すなわち、ＡＥ制御に必要な物理量として、１フレームにおけるＲ、Ｇ、Ｂの画像信号の積算値を算出する。レンズＣＰＵ１１８は、この積算部１１４から得た積算値に基づいて被写体の明るさ（被写体輝度）を算出し、所定のプログラム線図から絞り値とシャッタスピードを決定する。また、ＡＦ制御に必要な物理量として、所定のＡＦエリア内におけるＧ信号の高周波成分の積算値（焦点評価値）を算出する。レンズＣＰＵ１１８は、この焦点評価値が極大となる位置にフォーカスレンズを移動させる（いわゆるコントラストＡＦ）。
【００４３】
タイミングジェネレータ１１６は、撮像素子１０８、アナログ信号処理部１１０、Ａ／Ｄ変換器１１２、積算部１１４にタイミング信号を出力する。撮像素子１０８、アナログ信号処理部１１０、Ａ／Ｄ変換器１１２、積算部１１４の各部は、このタイミングジェネレータ１１６から与えられるタイミング信号によって同期がとられながら作動する。
【００４４】
レンズ通信部１２４は、レンズＣＰＵ１１８の制御の下、レンズ接点２４及びボディ接点３４を介して接続されたボディ通信部２１２との間でデータの送受信を行う。一方、ボディ通信部２１２は、ボディＣＰＵ２００の制御の下、レンズ接点２４及びボディ接点３４を介して接続されたレンズ通信部１２４との間でデータの送受信を行う。
【００４５】
レンズ電源制御部１２６は、レンズＣＰＵ１１８の制御の下、レンズ用バッテリ２６を管理し、レンズ用バッテリ２６からレンズユニット２０の各部への電力供給を制御する。
【００４６】
さて、レンズユニット２０のＡ／Ｄ変換器１１２でデジタル信号に変換された画像信号は、レンズ通信部１２４及びボディ通信部２１２を介してカメラボディ３０に送信される。カメラボディ３０に送信された画像信号は、一旦ボディ用システムメモリ２０４のＲＡＭに格納され、デジタル信号処理部２１４に加えられる。
【００４７】
デジタル信号処理部２１４は、輝度・色差信号生成回路、ガンマ補正回路、シャープネス補正回路、コントラスト補正回路、ホワイトバランス補正回路、圧縮・伸張処理回路等を含むデジタルシグナルプロセッサ（ＤＳＰ）で構成され、入力された画像信号に所要の信号処理を施して、輝度信号（Ｙ信号）と色差信号（Ｃr,Ｃb 信号）とからなるＹＵＶ信号を生成する。また、ＹＵＶ信号に圧縮処理を施して、圧縮画像データを生成するとともに、圧縮画像データに伸張処理を施してＹＵＶ信号を生成する。
【００４８】
モニタ４４にスルー画像を表示させる場合は、デジタル信号処理部２１４で連続的に生成されたＹＵＶ信号が順次フレームメモリ２２２に加えられる。モニタ制御部２２６は、このフレームメモリ２２２に加えられたＹＵＶ信号を表示用の信号形式に変換して順次モニタ４４に出力する。これにより、レンズユニット２０の撮像素子１０８で捉えた画像がモニタ４４にスルー表示される。
【００４９】
ＯＳＤ部２２４は、キャクタジェネレータを含み、ボディＣＰＵ２００の制御の下、モニタ４４に表示するための文字、記号等をモニタ制御部２２６に出力する。モニタ制御部２２６は、このＯＳＤ部２２４から出力された文字等を画像に重ねてモニタ４４に出力する。
【００５０】
画像を記録する場合は、デジタル信号処理部２１４において、ＹＵＶ信号が所定の圧縮フォーマット（たとえば、ＪＰＥＧ）で圧縮される。圧縮された画像データは、撮影日時や撮影条件（絞り値、シャッタースピード、感度等）等の所要の付属情報が付加された画像ファイルとされた後、カードＩ／Ｆ２１６を介してメモリカードスロット２１８に装着されたメモリカード６０に格納される。この際、画像ファイルは、所定の規則に従ってメモリカード６０の記憶領域に格納される。
【００５１】
なお、タイマ２０８は、ボディＣＰＵ２００からの指令に基づいて時間を計測し、カレンダ／時計部２１０は、ボディＣＰＵ２００からの指令に基づいて現在の年月日及び時刻を計測する。
【００５２】
また、ＵＳＢドライバ２２８は、ボディＣＰＵ２００の指令に基づいてＵＳＢコネクタ２３０に接続された外部機器との間でＵＳＢ規格に基づいたデータの送受信を行う。
【００５３】
ストロボ制御部２３４は、ボディＣＰＵ２００の制御の下、ストロボ３６の発光を制御する。
【００５４】
ボディ電源制御部２３６は、ボディＣＰＵ２００の制御の下、ボディ用バッテリ５８を管理し、ボディ用バッテリ５８からカメラボディ３０の各部への電力供給を制御する。
【００５５】
本実施の形態のデジタルカメラシステム１０は以上のように構成される。
【００５６】
次に、本実施の形態のデジタルカメラシステム１０の動作について説明する。まず、基本的な撮影時の動作について説明する。
【００５７】
レンズユニット２０をカメラボディ３０に装着し、電源／モードスイッチ４０を撮影位置に合わせる。これにより、デジタルカメラシステム１０の電源が投入されるとともに、撮影モードに設定され、撮影が可能になる。
【００５８】
この状態で被写体に撮影レンズを向け、レリーズボタン３８を半押しすると、操作部２０２からボディＣＰＵ２００にＳ１オン信号が出力され、ＡＥ／ＡＦ処理が実行される。
【００５９】
まず、ボディＣＰＵ２００からボディ通信部２１２及びレンズ通信部１２４を介してレンズＣＰＵ１１８にＡＥ／ＡＦ実行指令が送信される。レンズＣＰＵ１１８は、このＡＥ／ＡＦ実行指令に応じてＡＥ／ＡＦ制御を実行し、主要被写体にピントを合わせるとともに、露出を決定する。
【００６０】
この後、レリーズボタン３８が全押しされると、操作部２０２からボディＣＰＵ２００にＳ２オン信号が出力され、撮影処理が行われる。
【００６１】
まず、ボディＣＰＵ２００からボディ通信部２１２及びレンズ通信部１２４を介してレンズＣＰＵ１１８に撮影実行指令が送信される。レンズＣＰＵ１１８は、この撮影実行指令に応じて撮影制御を実行する。すなわち、レリーズボタン３８の半押しで決定した露出で撮像素子１０８を露光する。露光により得られた画像信号は、アナログ信号処理部１１０、Ａ／Ｄ変換器１１２を介してレンズ通信部１２４からカメラボディ３０に出力される。
【００６２】
レンズユニット２０からカメラボディ３０に出力された画像信号は、ボディ通信部２１２を介してボディ用システムメモリ２０４のＲＡＭに取り込まれる。そして、デジタル信号処理部２１４に加えられて、所要の信号処理が施され、ＹＵＶ信号が生成される。生成されたＹＵＶ信号は、更にデジタル信号処理部２１４で圧縮処理が施されて圧縮画像データとされた後、所要の付属情報が付加された画像ファイルとしてメモリカード６０に記録される。
【００６３】
次に、基本的な再生時の動作について説明する。
【００６４】
メモリカード６０に記録された画像の再生は、デジタルカメラシステム１０のモードを再生モードに設定することにより行われる。
【００６５】
電源／モードスイッチ４０を再生位置に合わせると、デジタルカメラシステム１０のモードが再生モードに設定される。
【００６６】
デジタルカメラシステム１０のモードが再生モードに設定されると、最後にメモリカード６０に記録された画像ファイルの圧縮画像データがメモリカード６０から読み出され、デジタル信号処理部２１４に加えられる。デジタル信号処理部２１４は、入力された圧縮画像データに所要の伸張処理を施して非圧縮のＹＵＶデータを生成する。生成されたＹＵＶデータは、フレームメモリ２２２に加えられ、モニタ制御部２２６で表示用の信号形式に変換されて、モニタ４４に出力される。これにより、撮影済み画像がモニタ４４に再生表示される。
【００６７】
この画像再生中に十字ボタン４８の右ボタンが押されると、コマ送りが指示され、次の圧縮画像データがメモリカード６０から読み出される。そして、デジタル信号処理部２１４で非圧縮のＹＵＶデータとされ、モニタ制御部２２６を介してモニタ４４に出力される。また、十字ボタン４８の左ボタンが押されると、コマ戻しが指示され、一つ前の圧縮画像データがメモリカード６０から読み出される。そして、デジタル信号処理部２１４で非圧縮のＹＵＶデータとされ、モニタ制御部２２６を介してモニタ４４に出力される。
【００６８】
本実施の形態のデジタルカメラシステム１０では、以上のように画像の記録／再生が行われる。
【００６９】
さて、上記のように本実施の形態のデジタルカメラシステム１０では、レンズユニット２０とカメラボディ３０のそれぞれにバッテリが備えられており、それぞれ個別に電力供給を受けて作動するように構成されている。
【００７０】
したがって、一方のバッテリの残量がなくなると、他方のバッテリの残量が十分であっても撮影ができなくなるという不具合がある。
【００７１】
そこで、本実施の形態のデジタルカメラシステム１０では、カメラボディ３０と、そのカメラボディ３０に装着されたレンズユニット２０との間で電源に関する情報の交換を行い、適切なパワーコントロールを行う。
【００７２】
ここで、電源に関する情報としては、レンズユニット２０であれば、レンズ用バッテリ２６のバッテリ電圧、バッテリ電流、バッテリ残量、レンズユニット２０の最低動作電圧（機器が動作可能な電圧の最低値）、消費電力、動作電流（機器が動作する際に流れる電流の最大値）等が含まれ、カメラボディであれば、カメラ用バッテリ５８のバッテリ電圧、バッテリ電流、バッテリ残量、カメラボディ３０の最低動作電圧、消費電力、動作電流等が含まれる。
【００７３】
レンズＣＰＵ１１８は、レンズ電源制御部１２６を介してレンズ用バッテリ２６の残量の情報を取得するとともに、レンズ用システムメモリ１２０のＲＯＭからレンズ用バッテリ２６のバッテリ電圧、バッテリ電流、レンズユニット２０の最低動作電圧、消費電力、動作電流等の情報を取得する。
【００７４】
また、ボディＣＰＵ２００は、ボディ電源制御部２３６を介してボディ用バッテリ５８の残量の情報を取得するとともに、ボディ用システムメモリ２０４のＲＯＭからボディ用バッテリ５８のバッテリ電圧、バッテリ電流、カメラボディ３０の最低動作電圧、消費電力、動作電流等の情報を取得する。
【００７５】
この互いの電源に関する情報交換は、デジタルカメラシステム１０の電源投入時、及び、動作中定期的に行われ、レンズユニット側からは、レンズ通信部１２４を介してカメラボディ側に送信される。また、カメラボディ側からは、ボディ通信部２１２を介してレンズユニット側に送信される。
【００７６】
レンズＣＰＵ１１８は、レンズユニット２０の電源に関する情報及びカメラボディ側から得たカメラボディ３０の電源に関する情報に基づいてレンズユニット２０のパワーコントロールを行う。たとえば、ボディ用バッテリ５８の残量が閾値を下回ると、ストロボ１８の発光を禁止、又は、発光量を落として撮影処理を行うように制御する。
【００７７】
また、ボディＣＰＵ２００は、カメラボディ３０の電源に関する情報及びレンズユニット２０から得たレンズユニット２０の電源に関する情報に基づいてカメラボディ３０のパワーコントロールを行う。たとえば、レンズ用バッテリ２６の残量が閾値を下回ると、ズームを禁止、あるいは、ズームの駆動スピードを落として駆動を制御する。また、たとえば、ＡＦの機能を停止し、ＭＦに切り換える。また、たとえば、スルー画像の取り込みを停止、あるいは、フレームレートを下げてスルー画像の取り込みを行う。
【００７８】
また、ボディＣＰＵ２００は、ボディ電源制御部２３６から取得したボディ用バッテリ５８の残量の情報、及び、レンズユニット２０から取得したレンズ用バッテリ２６の残量の情報に基づいて、図４に示すように、レンズ用バッテリ２６の残量とボディ用バッテリ５８の残量とを別々にモニタ４４に表示する。
【００７９】
なお、図４の例では、各バッテリの残量を図形で表した場合を示している。この場合、バッテリの残量が少なくなるに従い枠内に表示される目盛が段階的に減少する。
【００８０】
バッテリ残量の表示方法は、これに限定されるものではなく、たとえば、満充電を１００パーセントとしたパーセンテージで表示するようにしてもよい。
【００８１】
また、レンズ用バッテリ２６の残量とボディ用バッテリ５８の残量とを同時に表示するのではなく、切り替えて表示するようにしてもよい。たとえば、表示ボタン５４を押すたびにレンズ用バッテリ２６の残量表示とボディ用バッテリ５８の残量表示とが切り替わるようにする。
【００８２】
また、ボディ用バッテリ５８の残量にレンズ用バッテリ２６の残量を加味して算出したバッテリ残量をモニタ４４に表示するようにしてもよい。
【００８３】
以上説明したように、レンズユニット２０とカメラボディ３０とがそれぞれ個別にバッテリを備える場合において、互いに電源に関する情報を交換することにより、双方のバッテリ残量等に応じて適切なパワーコントロールを行うことができる。
【００８４】
なお、上記の実施の形態では、レンズユニット２０とカメラボディ３０の双方にバッテリが備えられている場合について説明したが、いずれか一方のみにバッテリが備えられている場合にも、互いに電源に関する情報を交換することにより、適切なパワーコントロールを行うことができる。たとえば、カメラボディ３０にのみバッテリが備えられている場合には、レンズユニット２０の電源に関する情報として、レンズユニット２０の最低動作電圧、消費電力、動作電流等の情報をレンズユニット側からカメラボディ側に送信し、レンズユニット２０にのみバッテリが備えられている場合には、カメラボディ３０の電源に関する情報として、カメラボディ３０の最低動作電圧、消費電力、動作電流等の情報をカメラボディ側からレンズユニット側に送信する。
【００８５】
また、本実施の形態のデジタルカメラシステムのように、レンズユニット２０とカメラボディ３０とで電源に関する情報を交換する場合には、電源の条件に関して、レンズユニット側とカメラボディ側とで厳しい方の条件を設定して、電源チェックとパワーコントロールを行うことが好ましい。たとえば、最低動作電圧について、レンズユニット側とカメラボディ側とで異なる値が設定されている場合には、より厳しい方の最低動作電圧をシステム全体の最低動作電圧に設定して、電源チェックとパワーコントロールを行う。また、たとえば、動作電流について、レンズユニット側とカメラボディ側とで異なる値が設定されている場合には、より厳しい方の動作電流をシステム全体の動作電流に設定して、電源チェックとパワーコントロールを行う。
【００８６】
以下、電源の条件に関して、レンズユニット側とカメラボディ側とで厳しい方の条件を設定して、電源チェックとパワーコントロールを行う場合について説明する。
【００８７】
なお、ここでは、カメラボディ側にのみバッテリが備えられている場合を例に説明する。
【００８８】
図５は、電源に関して厳しい方の条件を設定してパワーコントロールを行う場合の処理手順を示すフローチャートである。
【００８９】
レンズユニット２０をカメラボディ３０に装着し、デジタルカメラシステム１０の電源を投入すると、まず、レンズユニット２０とカメラボディ３０との間で電源に関する情報の交換が行われる（ステップＳ１０）。
【００９０】
ボディＣＰＵ２００は、レンズユニット２０から受信したレンズユニット２０の電源に関する情報と、カメラボディ３０の電源に関する情報とに基づいて、カメラボディ側の最低動作電圧とレンズユニット側の最低動作電圧とを比較する（ステップＳ１１）。そして、カメラボディ側の最低動作電圧が、レンズユニット側の最低動作電圧よりも高いか否かを判定する（ステップＳ１２）。
【００９１】
この判定でカメラボディ側の最低動作電圧の方がレンズユニット側の最低動作電圧よりも高いと判定すると、ボディＣＰＵ２００は、カメラボディ側の最低動作電圧をシステム全体の最低動作電圧に設定する（ステップＳ１３）。一方、カメラボディ側の最低動作電圧の方がレンズユニット側の最低動作電圧よりも低いと判定すると、レンズユニット側の最低動作電圧をシステム全体の最低動作電圧に設定する（ステップＳ１４）。たとえば、カメラボディ側の最低動作電圧が２．３［Ｖ］、レンズユニット側の最低動作電圧が３．１［Ｖ］の場合、カメラボディ側の最低動作電圧の方がレンズユニット側の最低動作電圧よりも低いので、レンズユニット側の最低動作電圧である３．１［Ｖ］が、システム全体の最低動作電圧に設定される。
【００９２】
次に、ボディＣＰＵ２００は、レンズユニット２０から受信したレンズユニット２０の電源に関する情報と、カメラボディ３０の電源に関する情報とに基づいて、カメラボディ側の動作電流とレンズユニット側の動作電流とを比較する（ステップＳ１５）。そして、カメラボディ側の動作電流が、レンズユニット側の動作電流よりも高いか否かを判定する（ステップＳ１６）。
【００９３】
この判定でカメラボディ側の動作電流の方がレンズユニット側の動作電流よりも高いと判定すると、ボディＣＰＵ２００は、カメラボディ側の動作電流をシステム全体の動作電流に設定する（ステップＳ１７）。一方、カメラボディ側の動作電流の方がレンズユニット側の動作電流よりも低いと判定すると、レンズユニット側の動作電流をシステム全体の動作電流に設定する（ステップＳ１８）。たとえば、カメラボディ側の動作電流が１．６［Ａ］、レンズユニット側の動作電流が２．２［Ａ］の場合、カメラボディ側の動作電流の方がレンズユニット側の動作電流よりも低いので、レンズユニット側の動作電流である２．２［Ａ］が、システム全体の動作電流に設定される。
【００９４】
この後、ボディＣＰＵ２００は、ボディ電源制御部２３６を介してボディ用バッテリ５８のバッテリ電圧とバッテリ電流を検出する（ステップＳ１９）。そして、検出したバッテリ電圧が、設定された最低動作電圧よりも高いか否か判定する（ステップＳ２０）。
【００９５】
この判定で検出したバッテリ電圧が、設定された最低動作電圧よりも低いと判定すると、ボディＣＰＵ２００は、電源のＯＦＦ処理を実行する（ステップＳ２３）。たとえば、最低動作電圧が３．１［Ｖ］に設定されており、検出されたバッテリ電圧が、３．０［Ｖ］の場合には、電源のＯＦＦ処理が行われる。
【００９６】
一方、検出したバッテリ電圧が、設定された最低動作電圧よりも高いと判定すると、ボディＣＰＵ２００は、次に、検出したバッテリ電流が、設定された動作電流よりも高いか否か判定する（ステップＳ２１）。
【００９７】
この判定で検出したバッテリ電流が、設定された動作電流よりも低いと判定すると、ボディＣＰＵ２００は、電源のＯＦＦ処理を実行する（ステップＳ２４）。たとえば、動作電流が２．２［Ａ］に設定されており、検出されたバッテリ電流が、２．０［Ａ］の場合には、電源のＯＦＦ処理が行われる。
【００９８】
一方、検出したバッテリ電流が、設定された動作電流よりも高いと判定すると、ボディＣＰＵ２００は、操作部２０２からの入力に基づいて電源／モードスイッチ４０でデジタルカメラシステム１０の電源のＯＦＦ操作が行われたか否か判定する（ステップＳ２３）。そして、電源がＯＦＦ操作されたと判定すると、ボディＣＰＵ２００は、電源のＯＦＦ処理を実行する（ステップＳ２４）。一方、電源がＯＦＦ処理されていないと判定すると、ボディＣＰＵ２００は、ステップＳ１９に戻り、再度バッテリ電圧とバッテリ電流の検出を行って、最低動作電圧よりも高いか否か、動作電流よりも高いか否かを判定する。
【００９９】
このように、レンズユニット２０とカメラボディ３０の電源に関して厳しい方の条件を設定することにより、適切な電源チェックとパワーコントロールを行うことができる。
【０１００】
なお、上記の実施の形態では、カメラボディ側にのみバッテリが備えられている場合を例に説明したが、レンズボディ側にのみバッテリを備えた構成であってもよいし、双方にバッテリを備えた構成であってもよい。
【０１０１】
また、上記実施の形態では、レンズユニット側に撮像素子を備えた構成のデジタルカメラシステムに本発明を適用した場合を例に説明したが、カメラボディ側に撮像素子を備えた構成のデジタルカメラシステムにも本発明を適用することができる。また、フィルムを用いて画像を撮影するカメラシステムにも本発明を適用することができる。
【０１０２】
また、上記実施の形態では、レンズユニット側にアナログ信号処理部等が配置され、カメラボディ側にデジタル信号処理部等が配置された構成とされているが、各部の配置は、これに限定されるものではなく、適宜変更して配置してもよい。
【図面の簡単な説明】
【０１０３】
【図１】デジタルカメラシステムの外観構成を示す正面斜視図
【図２】デジタルカメラシステムの外観構成を示す背面斜視図
【図３】デジタルカメラシステムの電気的構成を示すブロック図
【図４】モニタの表示例を示す図
【図５】電源に関して厳しい方の条件を設定してパワーコントロールを行う場合の処理手順を示すフローチャート
【符号の説明】
【０１０４】
１０…デジタルカメラシステム、２０…レンズユニット、２０Ａ…鏡筒部、２２…レンズマウント、２４…レンズ接点、２６…レンズ用バッテリ、３０…カメラボディ、３２…ボディマウント、３４…ボディ接点、３６…ストロボ、３８…レリーズボタン、４０…電源／モードスイッチ、４４…モニタ、４６…ズームボタン、４８…十字ボタン、５０…ＭＥＮＵ／ＯＫボタン、５２…キャンセルボタン、５４…表示ボタン、５６…バッテリカバー、５８…ボディ用バッテリ、６０…メモリカード、１００…撮影光学系、１０２…撮影光学系駆動部、１０４…撮像光学系制御部、１０６…手ブレ補正用角加速度センサ、１０８…撮像素子、１１０…アナログ信号処理部、１１２…Ａ／Ｄ変換器、１１４…積算回路、１１６…タイミングジェネレータ、１１８…レンズＣＰＵ、１２０…レンズ用システムメモリ、１２２…レンズ用不揮発性メモリ、１２４…レンズ通信部、１２６…レンズ電源制御部、２００…ボディＣＰＵ、２０２…操作部、２０４…ボディ用システムメモリ、２０６…ボディ用不揮発性メモリ、２０８…タイマ、２１０…カレンダ時計、２１２…ボディ通信部、２１４…デジタル信号処理部、２１６…カードインターフェイス（Ｉ／Ｆ）、２１８…メモリカードスロット、２２０…メモリカード、２２２…フレームメモリ、２２４…ＯＳＤ部、２２６…モニタ制御部、２２８…ＵＳＢドライバ、２３０…ＵＳＢコネクタ、２３２…タッチセンサ、２３４…ストロボ制御部、２３６…ボディ電源制御部
【図１】
2007116371.tif 000003
【図２】
2007116371.tif 000004
【図３】
2007116371.tif 000005
【図４】
2007116371.tif 000006
【図５】
2007116371.tif 000007